(57)【特許請求の範囲】
【請求項１】
熱源において発生した熱エネルギーを液体を介して回収して貯留可能な貯留タンクと、
当該貯留タンクに貯留されている液体を供給可能な第１および第２の熱交換器とを備えた加熱系を有し、
熱源において発生した熱エネルギーを回収した液体を貯留タンクの上端側から導入して貯留可能であり、
前記第１および第２の熱交換器に対して貯留タンクに貯留されている液体を供給することにより、前記加熱系の外部に存在する熱負荷に対して供給する液体を熱交換加熱可能なものであり、
貯留タンクに貯留されている液体を貯留タンクの上端側から取り出し、下端側に戻すことが可能な循環流路と、中間取出流路とを有し、
前記第１の熱交換器が、循環流路の中途に設けられており、
前記第２の熱交換器が、循環流路の中途であって、前記第１の熱交換器に対して循環流路を流れる液体の流れ方向下流側に設けられており、
前記中間取出流路が、貯留タンクの高さ方向中間部から貯留タンク内に貯留されている液体を取り出し、当該液体を第２の熱交換器に供給可能なように接続されていることを特徴とする貯留型熱源装置。
【請求項２】
熱源において熱エネルギーを回収した液体を貯留タンクを迂回させて第２の熱交換器に供給可能な加熱液供給流路を有することを特徴とする請求項１に記載の貯留型熱源装置。
【請求項３】
中間取出流路が貯留タンク内に貯留されている液体を取り出すための取出配管を複数有し、
当該複数の取出配管のうちの一又は複数が、他の一又は複数の取出配管とは貯留タンクの高さ方向に異なる位置から液体を取り出して第２の熱交換器に供給可能とされていることを特徴とする請求項１又は２に記載の貯留型熱源装置。
【請求項４】
第２の熱交換器に供給される液体の温度が、第１の熱交換器に供給される液体の温度よりも低温であることを特徴とする請求項１〜３のいずれかに記載の貯留型熱源装置。
【請求項５】
熱負荷に供給される液体を第１の熱交換器に供給して熱交換加熱する第１の加熱動作を実施可能なものであり、
当該第１の加熱動作を実施する場合は、中間取出流路を介する貯留タンク内の液体の取り出しを阻止した状態で、循環流路を介して貯留タンク内に貯留されている液体を貯留タンク上端側から取り出して第１の熱交換器に供給し、当該第１の熱交換器において熱エネルギーを放出した液体を貯留タンクの下端側に戻すことを特徴とする請求項１〜４のいずれかに記載の貯留型熱源装置。
【請求項６】
熱負荷に供給される液体を第２の熱交換器に供給して熱交換加熱する第２の加熱動作を実施可能なものであり、
当該第２の加熱動作は、液体を介して貯留タンクに貯留されている熱エネルギーが所定量以上であることを条件として実施されるものであり、
第２の加熱動作を実施する場合は、循環流路を介する貯留タンク内の液体の取り出しが阻止された状態で、中間取出流路を介して貯留タンク内の液体を取り出して第２の熱交換器に供給し、当該第２の熱交換器において熱エネルギーを放出した液体を貯留タンクの下端側に戻すことを特徴とする請求項１〜５のいずれかに記載の貯留型熱源装置。
【請求項７】
熱負荷に供給される液体を第２の熱交換器に供給して熱交換加熱する第３の加熱動作を実施可能なものであり、
当該第３の加熱動作は、液体を介して貯留タンクに貯留されている熱エネルギーが所定量未満であることを条件として実施されるものであり、
第３の加熱動作を実施する場合は、循環流路および中間取出流路を介する貯留タンク内の液体の取り出しが阻止された状態で、熱源において加熱された液体を加熱液供給流路を介して第２の熱交換器に供給することを特徴とする請求項２〜６のいずれかに記載の貯留型熱源装置。
【請求項８】
熱負荷に供給される液体を第１，２の熱交換器に供給して熱交換加熱する第４の加熱動作を実施可能なものであり、
当該第４の加熱動作は、液体を介して貯留タンクに貯留されている熱エネルギーが所定量以上であることを条件として実施されるものであり、
第４の加熱動作を実施する場合は、循環流路を介して貯留タンクから取り出された液体を第１，２の熱交換器に供給すると共に、中間取出流路を介して取り出された液体を第２の熱交換器に供給することを特徴とする請求項１〜７のいずれかに記載の貯留型熱源装置。
【請求項９】
熱源が、大気または二酸化炭素を熱媒体とするヒートポンプ式熱源機であることを特徴とする請求項１〜８のいずれかに記載の貯留型熱源装置。
【発明の詳細な説明】
【技術分野】
【０００１】
本発明は貯留型熱源装置に関するものであり、特に貯留タンクに貯留されている液体を循環可能な循環流路を有し、この循環流路の中途に複数の熱交換器を備えた貯留型熱源装置に関する。
【背景技術】
【０００２】
従来より、下記特許文献１，２に開示されているように、貯留タンクに対して接続された循環流路の途中に複数の熱交換器を設け、このそれぞれに暖房等の負荷端末を接続した貯留型熱源装置が提供されている。
【０００３】
特許文献１，２に開示されているような構成の貯留型熱源装置では、貯留タンク内の液体を貯留タンクの下端側から取り出して加熱し、上端側に戻して貯留する構成とされている。ここで、貯留タンク内に貯留されている液体の上方にこれよりも所定温度以上高温の温度帯の液体を導入すると、液体が温度帯毎にほぼ完全に分離した状態で貯留されいわゆる温度成層が形成される。従来技術の貯留型熱源装置の多くは、この現象を利用し、熱負荷への熱エネルギーの供給に必要な量の高温の液体を貯留する構成を採用している。
【０００４】
さらに具体的には、従来技術の貯留型熱源装置の多くは、貯留タンク内に貯留されている液体を貯留タンクの下端側から取り出して加熱し、上端側から貯留タンク内に戻す構成を採用している。そのため、かかる構成の貯留型熱源装置では、貯留タンクに貯留されている液体のうち貯留タンクの上端側に存在するものは、下端側に存在するものよりも高温になる傾向にある。
【特許文献１】特開２００４−２３２９１３号公報
【特許文献２】特開２００６−３０７８号公報
【発明の開示】
【発明が解決しようとする課題】
【０００５】
従来技術の貯留型熱源装置では、貯留タンクに貯留されている高温の液体を取り出して熱交換器に供給した後、熱エネルギーを放出した液体を貯留タンクに戻す構成とされている。さらに具体的には、上記特許文献１，２に開示されている貯留型熱源装置では、循環流路の上流側に配された熱交換器（上流側熱交換器）に接続された負荷端末が作動する場合であっても、下流側に配された熱交換器（下流側熱交換器）に接続された負荷端末が作動する場合であっても、貯留タンクの上端側に存在する高温の液体を上流側熱交換器や下流側熱交換器に供給する構成とされている。
【０００６】
上記したような構成の貯留型熱源装置は、負荷端末に供給する熱媒体をさほど加熱しなくても良い条件下で作動すると、下流側熱交換器における放熱量が少なくなり、上流側熱交換器や下流側熱交換器を通過して貯留タンクに戻る液体の温度が比較的高くなる傾向にある。そのため、従来技術の貯留型熱源装置は、前記したような条件下で作動すると、熱負荷に熱エネルギーを供給するには低温であるが、貯留タンク内に貯留されている高温の液体と温度成層を形成するには高温である中間程度の温度の液体が貯留タンクに戻る可能性が高い。このように、中間程度の温度の液体が貯留タンクに戻ってしまうと、貯留タンク内に形成されている温度成層が掻き乱されたり、貯留タンク内に存在する高温の液体が温度低下して熱負荷に供給する液体の加熱に適さない温度まで低下してしまうおそれがあった。
【０００７】
そこで、かかる問題点を解消すべく、本発明は、熱負荷に供給する液体の熱交換加熱に伴って発生する、熱負荷に熱エネルギーを供給するには低温な液体が貯留タンクに戻ったり、貯留タンク内に形成されている温度成層が掻き乱されるといったような不具合の発生を最小限に抑制でき、熱エネルギーを効率よく利用可能な貯留型熱源装置の提供を目的とする。
【課題を解決するための手段】
【０００８】
そこで、上記した課題を解決すべく提供される請求項１に記載の発明は、熱源において発生した熱エネルギーを液体を介して回収して貯留可能な貯留タンクと、当該貯留タンクに貯留されている液体を供給可能な第１および第２の熱交換器とを備えた加熱系を有し、熱源において発生した熱エネルギーを回収した液体を貯留タンクの上端側から導入して貯留可能であり、前記第１および第２の熱交換器に対して貯留タンクに貯留されている液体を供給することにより、前記加熱系の外部に存在する熱負荷に対して供給する液体を熱交換加熱可能なものであり、貯留タンクに貯留されている液体を貯留タンクの上端側から取り出し、下端側に戻すことが可能な循環流路と、中間取出流路とを有し、前記第１の熱交換器が、循環流路の中途に設けられており、前記第２の熱交換器が、循環流路の中途であって、前記第１の熱交換器に対して循環流路を流れる液体の流れ方向下流側に設けられており、前記中間取出流路が、貯留タンクの高さ方向中間部から貯留タンク内に貯留されている液体を取り出し、当該液体を第２の熱交換器に供給可能なように接続されていることを特徴とする貯留型熱源装置である。
【０００９】
かかる構成によれば、中間取出流路を介して貯留タンクの高さ方向中間部に貯留されている液体を第２の熱交換器に供給することができる。そのため、熱負荷における熱エネルギーの消費量が小さい場合であっても、中間取出流路を介して貯留タンク内の液体を第２の熱交換器に供給すると、第２の熱交換器を通過して貯留タンクに戻る液体の温度が十分低温になる。従って、本発明の貯留型熱源装置によれば、熱負荷に対して供給される液体を熱交換加熱するために貯留タンクから取り出された液体が貯留タンクに戻ることにより、貯留タンク内に形成されている温度成層が掻き乱されるのを防止でき、熱エネルギー効率の低下を抑制することができる。
【００１０】
また、本発明の貯留型熱源装置は、例え貯留タンク内に貯留されている高温の液体が少ない場合であっても、貯留タンクの高さ方向中間部分に上端側に存在する液体よりもやや低温の液体があり、熱負荷における熱エネルギーの消費量が小さければ、中間取出流路を介して貯留タンク内の液体を第２の熱交換器に供給することにより熱負荷に供給される液体を加熱することができる。そのため、本発明の貯留型熱源装置によれば、高温の液体の使用量を最小限に抑制し、大きな熱エネルギー量が必要とされる状況に備えて高温の液体を確保しておくことができる。従って、本発明によれば、貯留タンクに液体を介して貯留されている熱エネルギーを効率よく使用することができる。
【００１１】
上記請求項１に記載の貯留型熱源装置は、熱源において熱エネルギーを回収した液体を貯留タンクを迂回させて第２の熱交換器に供給可能な加熱液供給流路を有するものであってもよい（請求項２）。
【００１２】
かかる構成によれば、熱源において熱エネルギーを回収した液体を貯留タンクを介さず第２の熱交換器に供給することができる。そのため、本発明の貯留型熱源装置は、貯留タンク内に第２の熱交換器において熱負荷に供給される液体の熱交換加熱をするのに十分な熱エネルギーがない場合であっても、第２の熱交換器において熱負荷に供給する液体を十分加熱することができる。
【００１３】
ここで、上記した構成の貯留型熱源装置において、熱負荷に供給する液体を加熱する際に第２の熱交換器において消費される熱エネルギー量が少ない場合、貯留タンクに貯留されている高温の液体を第２の熱交換器に供給すると、熱交換器において放熱して貯留タンクに戻る液体の温度低下が少なく、貯留タンク内に残存している高温の液体との温度差が小さい。そのため、この場合は貯留タンク内に形成されている温度成層が崩れ、貯留タンク内に残存している高温がこれよりも低温の液体と混合されてしまい、熱交換加熱等に利用するには低温で利用価値の低い状態になってしまう可能性がある。従って、第２の熱交換器において消費される熱エネルギー量が少ない場合に貯留タンク内に貯留されている高温の液体を第２の熱交換器に供給すると、高温で利用価値の高い液体が小さな熱エネルギー消費を賄うために使用されてしまうだけでなく、貯留タンク内に残存している高温で利用価値の高い湯水まで低温になり、利用価値が低下してしまう可能性がある。
【００１４】
しかし、本発明の貯留型熱源装置は、上記したような加熱液供給流路を有するため、熱源で熱エネルギーを回収した液体を貯留タンクを介さず第２の熱交換器に供給することにより、第２の熱交換器において熱負荷に供給するための液体を加熱するために使用される貯留タンクに貯留されている高温の液体の量を最小限に抑制することができる。従って、本発明の貯留型熱源装置によれば、大きな熱エネルギー量が必要とされる状況等に備えて高温で利用価値の高い液体を確保しておくことが可能であり、熱エネルギー効率をより一層向上させることができる。
【００１５】
ここで、上記したように循環流路の中途に第１，２の熱交換器を設けた構成とした場合は、第１の熱交換器における熱エネルギーの消費量が大きい場合や、貯留タンク内に貯留されている液体の温度が十分高温でない場合に、第１の熱交換器の下流側に配された第２の熱交換器に流入する液体が低温になるものと想定される。
【００１６】
しかし、本発明の貯留型熱源装置では、加熱液供給流路を介して熱源で熱エネルギーを回収した液体を供給できる構成とされている。そのため、第１の熱交換器における熱エネルギーの消費量や、貯留タンク内に貯留されている液体の温度によらず第２の熱交換器において必要とされる熱エネルギーを供給することができる。
【００１７】
ここで、上記請求項１，２に記載の貯留型熱源装置のように、熱源において発生した熱エネルギーを回収した液体を貯留タンクの上端側から導入して貯留する構成とした場合、貯留タンク内に貯留されている液体は、貯留タンクの上端側から下端側に向けて低温になる温度分布を形成するものと想定される。そのため、貯留タンクの高さ方向中間部分から液体を取り出す場合は、液体の取り出し位置（高さ）によって液体の温度が異なる可能性がある。
【００１８】
そこで、かかる知見に基づき、上記請求項１又は２に記載の貯留型熱源装置は、中間取出流路が貯留タンク内に貯留されている液体を取り出すための取出配管を複数有し、当該複数の取出配管のうちの一又は複数が、他の一又は複数の取出配管とは貯留タンクの高さ方向に異なる位置から液体を取り出して第２の熱交換器に供給可能な構成とすることも可能である（請求項３）。
【００１９】
かかる構成によれば、各取出配管を介して取り出す液体の取り出し量の比率を調整することにより貯留タンクから第２の熱交換器に供給される液体の温度を、熱負荷に供給される液体の熱交換加熱に適した温度に調整することができる。
【００２０】
また、上記請求項１〜３のいずれかに記載の貯留型熱源装置は、第２の熱交換器に供給される液体の温度が、第１の熱交換器に供給される液体の温度よりも低温であってもよい（請求項４）。
【００２１】
上記請求項１〜４のいずれかに記載の貯留型熱源装置は、熱負荷に供給される液体を第１の熱交換器に供給して熱交換加熱する第１の加熱動作を実施可能なものであり、当該第１の加熱動作を実施する場合に、中間取出流路を介する貯留タンク内の液体の取り出しを阻止した状態で、循環流路を介して貯留タンク内に貯留されている液体を貯留タンク上端側から取り出して第１の熱交換器に供給し、当該第１の熱交換器において熱エネルギーを放出した液体を貯留タンクの下端側に戻すことを特徴とするものであってもよい（請求項５）。
【００２２】
本発明の貯留型熱源装置では、熱負荷において放熱した液体を貯留タンクの下端側に戻す構成とされている。そのため、本発明の貯留型熱源装置は、熱負荷における熱エネルギーの消費量が大きく、第１の熱交換器を出た液体が低温になる場合であっても、この低温の液体を貯留タンク内に戻すことによって貯留タンク内に形成されている温度成層が掻き乱されたり、貯留タンク内に存在する高温の液体が温度低下するのを確実に防止できる。
【００２３】
また、上記請求項１〜５のいずれかに記載の貯留型熱源装置は、熱負荷に供給される液体を第２の熱交換器に供給して熱交換加熱する第２の加熱動作を実施可能なものであり、当該第２の加熱動作が、液体を介して貯留タンクに貯留されている熱エネルギーが所定量以上であることを条件として実施されるものであり、第２の加熱動作を実施する場合に、循環流路を介する貯留タンク内の液体の取り出しが阻止された状態で、中間取出流路を介して貯留タンク内の液体を取り出して第２の熱交換器に供給し、当該第２の熱交換器において熱エネルギーを放出した液体を貯留タンクの下端側に戻す構成とすることも可能である（請求項６）。
【００２４】
本発明の貯留型熱源装置は、第２の加熱動作を実施する際に中間取出流路を介して貯留タンクの高さ方向中間部に貯留されている液体が取り出され、第２の熱交換器に供給される。そのため、本発明の貯留型熱源装置は、熱負荷における熱エネルギーの消費量が小さい場合であっても、第２の加熱動作を実施することにより、貯留タンクに戻る液体の温度を十分低温とすることができる。従って、本発明の貯留型熱源装置によれば、熱負荷に対して供給される液体の熱交換加熱に際して、貯留タンク内に形成されている温度成層が掻き乱されたり、これにより熱エネルギー効率が低下するのを防止できる。
【００２５】
本発明の貯留型熱源装置は、第２の加熱動作を実施することにより、貯留タンク内の液体を中間取出流路を介して取り出して第２の熱交換器に供給し、熱負荷に供給される液体を熱交換加熱できるため、貯留タンクの上端部側に存在する高温の液体を大きな熱エネルギー量が必要とされる状況に備えて確保しておくことが可能である。従って、本発明の貯留型熱源装置によれば、貯留タンクに液体を介して貯留されている熱エネルギーを十分有効利用することができる。
【００２６】
さらに、上記請求項２〜６のいずれかに記載の貯留型熱源装置は、熱負荷に供給される液体を第２の熱交換器に供給して熱交換加熱する第３の加熱動作を実施可能なものであり、当該第３の加熱動作は、液体を介して貯留タンクに貯留されている熱エネルギーが所定量未満であることを条件として実施されるものであり、第３の加熱動作を実施する場合に、循環流路および中間取出流路を介する貯留タンク内の液体の取り出しが阻止された状態で、熱源において加熱された液体を加熱液供給流路を介して第２の熱交換器に供給する構成とすることも可能である（請求項７）。
【００２７】
かかる構成によれば、貯留タンク内に第２の熱交換器において熱負荷に供給される液体の熱交換加熱をするのに十分な熱エネルギーがない場合であっても、第３の加熱動作を実施することにより第２の熱交換器において熱負荷に供給する液体を十分加熱することができる。
【００２８】
また、本発明の貯留型熱源装置は、第３の加熱動作を実施することにより、第２の熱交換器における加熱動作のために貯留タンクに貯留されている高温の液体が使用されるのを防止できる。従って、本発明の貯留型熱源装置によれば、大きな熱エネルギー量が必要とされる状況等に備えて高温で利用価値の高い液体を確保しておくことが可能であり、熱エネルギー効率をより一層向上させることができる。
【００２９】
ここで、上記したように、請求項１〜７に記載の貯留型熱源装置は、循環流路の中途に第１，２の熱交換器が設けられており、第２の熱交換器が第１の熱交換器に対して循環流路を流れる液体の流れ方向下流側に配された構成とされている。そのため、第１，２の熱交換器の双方において熱負荷に供給される液体を加熱する場合は、第１の熱交換器で放熱した液体が第２の熱交換器に導入されることとなり、第２の熱交換器において熱エネルギー量が不足する可能性がある。
【００３０】
そこで、かかる知見に基づき、上記請求項１〜７のいずれかに記載の貯留型熱源装置は、熱負荷に供給される液体を第１，２の熱交換器に供給して熱交換加熱する第４の加熱動作を実施可能なものであり、当該第４の加熱動作が、液体を介して貯留タンクに貯留されている熱エネルギーが所定量以上であることを条件として実施されるものであり、第４の加熱動作を実施する場合に、循環流路を介して貯留タンクから取り出された液体を第１，２の熱交換器に供給すると共に、中間取出流路を介して取り出された液体を第２の熱交換器に供給する構成としてもよい（請求項８）。
【００３１】
かかる構成とした場合、第２の熱交換器には、第１の熱交換器を通過して来た液体だけでなく、中間取出流路を介して貯留タンクから取り出された液体が第１の熱交換器を迂回して直接供給されることとなる。そのため、上記した構成によれば、第１，２の熱交換器の双方において熱負荷に供給される液体の加熱が行われる場合であっても、第２の熱交換器に熱交換加熱に必要な熱エネルギーを供給することができる。
【００３２】
ここで、上記したように貯留タンクに液体を介して十分な熱エネルギーが貯留されている場合は、上記した第４の加熱動作のように中間取出流路を介して貯留タンク内の液体を第２の熱交換器に供給することにより、第２の熱交換器における熱交換加熱を実施するのに不足する熱エネルギー量を補足することができる。しかし、貯留タンクに貯留されている熱エネルギーが少ない場合は、第４の加熱動作のように貯留タンクから液体を取り出して第２の熱交換器に供給すると、様々な問題が生じるおそれがある。
【００３３】
すなわち、中間取出流路を介して取り出し可能な液体が持つ熱エネルギーが低い場合は、第４の加熱動作のように中間取出流路を介して取り出された液体を第２の熱交換器に供給しても第２の熱交換器における熱エネルギー量の不足分を十分補うことができない可能性が高い。また、仮に貯留タンクにある程度の熱エネルギーが蓄えられていたとしても、これを他の用途に使用するために必要とされる熱エネルギーを考慮すると、第２の熱交換器に供給できる程、余剰の熱エネルギーが存在しない場合がある。このような場合は、仮に第４の加熱動作を実施し、貯留タンクから中間取出流路を介して取り出された液体を第２の熱交換器に供給して熱エネルギー量の不足分を補えたとしても、以後の動作に支障を来す可能性もある。
【００３４】
そこで、かかる問題点を解消すべく提供される本発明の関連発明は、熱負荷に供給される液体を第１，２の熱交換器に供給して熱交換加熱する第５の加熱動作を実施可能なものであり、当該第５の加熱動作が、液体を介して貯留タンクに貯留されている熱エネルギーが所定量未満であることを条件として実施されるものであり、第５の加熱動作を実施する場合に、中間取出流路を介する貯留タンク内の液体の取り出しを阻止した状態で、循環流路を介して貯留タンク内に貯留されている液体を貯留タンク上端側から取り出して第１，２の熱交換器に供給し、当該第１，２の熱交換器において熱エネルギーを放出した液体を貯留タンクの下端側に戻すと共に、熱源において加熱された液体を加熱液供給流路を介して第２の熱交換器に供給することを特徴とする上記の貯留型熱源装置である。
【００３５】
本発明の関連発明の貯留型熱源装置では、第１，２の熱交換器に供給して熱交換加熱する際に、液体を介して貯留タンクに貯留されている熱エネルギーが所定量未満である場合であっても、第５の加熱動作を実施することにより熱源において加熱された液体を加熱液供給流路を介して第２の熱交換器に供給し、第２の熱交換器における熱交換加熱に必要とされる熱エネルギーを補足することができる。そのため、本発明の関連発明によれば、第１，２の熱交換器の双方において熱負荷に供給される液体の加熱が行われる場合であっても、第２の熱交換器に液体の熱交換加熱に必要な熱エネルギーを供給することができる。
【００３６】
また、本発明の関連発明の貯留型熱源装置は、例えば貯留タンクに貯留されている熱エネルギーが、中間取出管を介して貯留タンク内の液体を取り出して第２の熱交換器に供給しても第２の熱交換器において不足すると想定される程度の量に満たないことを条件として第５の加熱動作を実施する構成とすることも可能である。かかる構成とした場合についても、第５の加熱動作を実施することにより、中間取出流路を介して貯留タンク内の液体を取り出すことなく第２の熱交換器において必要と想定される量の熱エネルギーを供給することができる。そのため、本発明の関連発明の貯留型熱源装置によれば、中間取出流路を介して取り出し可能な液体が持つ熱エネルギーが低い場合であっても、第２の熱交換器において不足する分の熱エネルギー量を補うことができる。
【００３７】
さらに、本発明の関連発明の貯留型熱源装置は、例えば貯留タンクに貯留されている熱エネルギー量が他の用途に使用すること等を考慮すると、第２の熱交換器に供給できる程度の量未満である場合に第５の加熱動作を実施する構成とすることも可能である。かかる構成とした場合は、他の用途に使用するための熱エネルギーを貯留タンクに確保しつつ、熱負荷に供給するための液体を第１，２の熱交換器において十分熱交換加熱することができる。
【００３８】
請求項９に記載の発明は、熱源が、大気または二酸化炭素を熱媒体とするヒートポンプ式熱源機であることを特徴とする請求項１〜８のいずれかに記載の貯留型熱源装置である。
【００３９】
ヒートポンプ式熱源機は電気ヒータ式の熱源機に比べて極めて高いエネルギー効率を呈する。本発明では、熱源としてヒートポンプ式熱源機を採用しているため、エネルギー効率が著しく高い貯留型熱源装置を提供できる。
【発明の効果】
【００４０】
本発明によれば、熱負荷に供給する液体の熱交換加熱に伴って熱負荷における熱エネルギーの消費量の大小によらず熱負荷に熱エネルギーを供給するには低温な液体が貯留タンクに戻ったり、貯留タンク内に形成されている温度成層が掻き乱されたりする可能性を最小限に抑制でき、熱エネルギーを効率よく利用可能な貯留型熱源装置を提供できる。
【発明を実施するための最良の形態】
【００４１】
続いて、本発明の一実施形態にかかる貯留型熱源装置について、図面を参照しながら詳細に説明する。図１において、１は本実施形態の貯留型熱源装置である。貯留型熱源装置１は、筐体１ａ内に貯留タンク３を中心として構成される加熱系Ｓを有し、熱源２において発生した熱エネルギーを用いて加熱された湯水（液体）を貯留タンク３に貯留可能な構成とされている。
【００４２】
貯留タンク３は、湯水を貯留可能なタンクである。貯留型熱源装置１は、貯留タンク３に対して後述する様々な配管を直接的あるいは間接的に接続することにより構成された加熱回路５や追焚回路６、暖房回路７を有する。
【００４３】
貯留タンク３には、複数（本実施形態では４つ）の温度センサ８ａ〜８ｄが貯留タンク３の高さ方向、すなわち内部に貯留される湯水の液面の昇降方向に所定の間隔を空けて取り付けられている。各温度センサ８ａ〜８ｄは、それぞれ取り付けられている高さ位置に貯留されている湯水の温度を検知するための温度検知手段として機能すると共に、貯留タンク３内に貯留されている所定温度あるいは温度範囲の湯水の量を検知するための残量検知手段としての役割も果たすものである。
【００４４】
すなわち、貯留型熱源装置１は、後述するように加熱回路５を流れる湯水を熱源２において発生する熱エネルギーを用いて加熱し、貯留タンク３に対して上端３ａ側から緩やかな流速で導入可能な構成とされている。
【００４５】
ここで、一般的に貯留タンク３内に貯留されている湯水（液体）よりも高温の液体を貯留タンク３に対して上端３ａ側から導入する場合、加熱された湯水と貯留タンク３の上端３ａ側に残存している湯水との温度差が所定温度以上（湯水の場合は、約１０℃以上）であることを条件として温度の異なる湯水が層状に貯留され、いわゆる温度成層を形成することが知られている。そのため、本実施形態の貯留型熱源装置１では、熱源２において発生する熱エネルギーによって湯水を加熱すると、貯留タンク３の上端３ａ側から徐々に高温になっていく。従って、各温度センサ８ａ〜８ｄの検知温度を確認することにより、所定温度以上の湯水がどれだけ貯留タンク３に貯留されているかを判断することができる。
【００４６】
貯留タンク３の上端３ａ側および下端３ｂ側には、接続口３ｃ，３ｄが設けられており、これを介して上端接続管９ａおよび下端接続管９ｂがそれぞれ貯留タンク３内に連通するように接続されている。上端接続管９ａには、熱源戻り配管１０が接続されており、下端接続管９ｂの末端部分には、三方弁１２を介して熱源往き配管１１が接続されている。
【００４７】
さらに詳細には、三方弁１２を構成する３つのポート１２ａ，１２ｂ，１２ｃ（接続口）のうち、ポート１２ａに下端接続管９ｂが接続されており、ポート１２ｂに熱源往き配管１１が接続されている。また、暖房往き配管１１の中途には、加熱用循環ポンプ１３が設けられている。熱源戻り配管１０および熱源往き配管１１は、それぞれ熱源２に接続されている。そのため、三方弁１２をポート１２ａ，１２ｂが連通するように開度調整すると図２にハッチング等で示すような加熱回路５が形成され、加熱用循環ポンプ１３を作動させることにより熱源２と貯留タンク３との間で湯水を循環させることができる。
【００４８】
上記した加熱回路５を構成する熱源戻り配管１０には、給湯配管１６が接続されている。給湯配管１６は、熱源戻り配管１０と上端接続管９ａとの接続部分に接続されており、その末端部分に配管接続口１８が設けられている。給湯配管１６は、配管接続口１８を介して外部に設けられたカラン２４に配管接続可能な構成とされている。
【００４９】
また、下端接続管９ｂおよび熱源往き配管１１には、外部の給水源から低温の湯水を供給するための給水配管１７が接続されている。給水配管１７の末端には、配管接続口１９が設けられており、これを介して外部の給水源（図示せず）に対して配管接続可能な構成とされている。
【００５０】
追焚回路６は、追焚一次流路２０と追焚二次流路２２とを有し、追焚一次流路２０の中途に設けられた追焚熱交換器２１に追焚二次流路２２を接続して構成されている。追焚一次流路２０は、貯留タンク３の上端３ａ側の位置と下端３ｂ側の位置に設けられた接続口３ｅ，３ｆを繋ぐように配管接続して構成されたものである。追焚一次流路２０の中途には、前記した追焚熱交換器２１に加えて追焚一次循環ポンプ２３が設けられている。
【００５１】
追焚二次流路２２は、風呂往き流路２５と風呂戻り流路２６とを有し、これらの一端側が追焚熱交換器２１の二次側に接続された構成とされている。風呂戻り流路２６の中途には、追焚二次循環ポンプ２７が設けられている。風呂往き流路２５および風呂戻り流路２６の末端部分には配管接続口２８，２９が設けられており、これらに浴槽３０に繋がる配管を接続することにより、図１１にハッチング等で示すように、浴槽３０内の湯水を追焚熱交換器２１との間で循環可能な循環流路を形成することができる。
【００５２】
暖房回路７は、本実施形態の貯留型熱源装置１において特徴的な構成を有する部分である。さらに詳細に説明すると、暖房回路７は、暖房一次流路３５（循環流路）、中間取出流路３６、加熱水供給流路３７（加熱液供給流路）、高温暖房二次流路３８および低温暖房二次流路４０によって主要な流路が構成されている。
【００５３】
暖房一次流路３５は、貯留タンク３の上端側の位置に設けられた接続口３ｇと、三方弁１２のポート１２ｃとを繋ぐように接続されている。そのため、三方弁１２をポート１２ａ，１２ｃ間が連通するように開度調整することにより、暖房一次流路３５が下端接続管９ｂに連通し、貯留タンク３の上端３ａ側の位置と下端３ｂとを繋ぐ循環流路を形成することができる。
【００５４】
暖房一次流路３５の中途には、暖房一次循環ポンプ４１が設けられている。そのため、三方弁１２のポート１２ａ，１２ｃ間が連通した状態で暖房一次循環ポンプ４１を作動させると、貯留タンク３内に貯留されている湯水を上端３ａ側の位置（接続口３ｇ）から取り出し、下端３ｂ側から貯留タンク３内に戻すことができる。
【００５５】
暖房一次流路３５の中途には、高温暖房熱交換器４３と低温暖房熱交換器４５とが設けられている。すなわち、高温暖房熱交換器４３は、暖房一次流路３５の中途に直列に配されている。高温暖房熱交換器４３は、暖房一次流路３５の中途であって低温暖房熱交換器４５に対して暖房一次循環ポンプ４１を作動させることにより発生する湯水の流れ方向上流側（接続口３ｇ側）の位置に設けられた配管部分（以下、必要に応じて上流部３５ｂと称す）を流れる湯水が一次側に流入可能なように接続されている。
【００５６】
また、暖房一次流路３５の中途であって、高温暖房熱交換器４３と低温暖房熱交換器４５との間の部分（以下、必要に応じて中間部３５ａと称す）には開閉弁４６が設けられている。そのため、三方弁１２のポート１２ａ，１２ｃおよび開閉弁４６を開状態として暖房一次循環ポンプ４１を作動させると、貯留タンク３の上端３ａ側に存在する高温の湯水が高温暖房熱交換器４３に優先的に供給される。そして、この湯水は、高温暖房熱交換器４３において放熱してある程度放熱した後、低温暖房熱交換器４５に供給されることとなる。
【００５７】
低温暖房熱交換器４５に流入した湯水は、さらに放熱して低温になった後、暖房一次流路３５のうち低温暖房熱交換器４５と三方弁１２のポート１２ｃとを繋ぐ配管部分（以下、必要に応じて下流部３５ｃと称す）を通過する。そして、三方弁１２のポート１２ａに接続された下端接続管９ｂを介して貯留タンク３の下端３ｂ側に戻される。
【００５８】
中間取出流路３６は、中域水取出管５０と低域水取出管５１と混合水供給管５２とを有する。中域水取出管５０および低域水取出管５１は、共に貯留タンク３内に貯留されている液体を貯留タンク３の高さ方向中間部分から取り出すための取出配管として機能する。
【００５９】
中域水取出管５０は、貯留タンク３の上端３ａ側から貯留タンク３の高さＬの１／３程度下方の位置に設けられた接続口３ｈに接続されている。また、低域水取出管５１は、貯留タンク３の下端３ｂ側から貯留タンク３の高さＬの１／３程度上方の位置に設けられた接続口３ｉに接続されている。すなわち、中域水取出管５０は、上記した暖房一次流路３５の上流部３５ｂよりも貯留タンク３の低い位置に接続された配管であり、低域水取出管５１は中域水取出管５０よりもさらに低い位置にある湯水を取り出し可能なように接続されている。
【００６０】
接続口３ｈ，３ｉは、それぞれ上記した温度センサ８ｂ，８ｃと貯留タンク３の高さ方向に同程度の位置に設けられている。そのため、中域水取出管５０および低域水取出管５１を介して取り出される湯水は、それぞれ温度センサ８ｂ，８ｃの検知温度程度の温度である。
【００６１】
中域水取出管５０および低域水取出管５１は、それぞれ三方弁５５に設けられた２つの接続口（以下、それぞれをポート５５ａ，５５ｂと称す）に接続されている。三方弁５５の残りの接続口（以下、ポート５５ｃと称す）には、混合水供給管５２の一端側が接続されている。混合水供給管５２の他端側は、上記した暖房一次流路３５の中間部３５ａであって、開閉弁４６よりも暖房一次流路３５を流れる湯水の流れ方向下流側、すなわち低温暖房熱交換器４５に対して上流側の位置に接続されている。そのため、暖房回路７は、三方弁５５のポート５５ａ，５５ｂの開度の比率を調整することによって中域水取出管５０から取り出される湯水と、低域水取出管５１から取り出される湯水との比率を調整し、混合水供給管５２を介して暖房一次流路３５（低温暖房熱交換器４５の上流側）に供給される湯水の温度を調整することができる。
【００６２】
加熱水供給流路３７は、暖房一次流路３５の中途であって、低温暖房熱交換器４５に対して暖房一次流路３５を流れる湯水の流れ方向上流側に隣接する位置（中間部３５ａ）と、加熱回路５を構成する熱源戻り配管１０の中途に設けられた三方弁１５の接続口１５ａ（以下、ポート１５ａと称す）とを繋ぐ配管によって構成されている。そのため、三方弁１５のポート１５ａの開度調整を行うことにより、熱源２で加熱され加熱回路５を循環している湯水を加熱水供給流路３７を介して暖房一次流路３５の中間部３５ａに流入させ、低温暖房熱交換器４５に供給することができる。すなわち、三方弁１５は、熱源２において加熱された湯水の流れる流路を貯留タンク３に繋がる熱源戻り流路１０と、低温暖房熱交換器４５に繋がる加熱水供給流路３７とに切り替えるための流路切替手段として機能する。
【００６３】
高温暖房二次流路３８は、高温暖房熱交換器４３の二次側に往き配管６０および戻り配管６１を接続して構成される流路である。また、低温暖房二次流路４０は、低温暖房熱交換器４５の二次側に往き配管６２および戻り配管６３を接続して構成される流路である。また、高温暖房二次流路３８の戻り配管６１の末端部分は、低温暖房二次流路４０の戻り配管６３の中途に接続されている。往き配管６０，６２および戻り配管６３の末端部分には、配管接続口６５〜６７が設けられている。また、戻り配管６３の中途には、暖房二次循環ポンプ７１が設けられている。
【００６４】
高温暖房二次流路３８は、図１や図４等に示すように配管接続口６５，６７に対して貯留型熱源装置１の外部に設けられた熱負荷（以下、高温負荷端末８０）に繋がる配管を接続することにより、高温暖房熱交換器４３と高温負荷端末８０との間で熱媒体（液体）を循環させることができる流路である。また、低温暖房二次流路４０は、図１や図５等に示すように配管接続口６６，６７に対して貯留型熱源装置１の外部に設けられた熱負荷（以下、低温負荷端末８１）に繋がる配管を接続することにより、低温暖房熱交換器４５と低温負荷端末８１との間で熱媒体（液体）を循環させることができる流路である。
【００６５】
上記した高温負荷端末８０は、熱エネルギーの消費量が比較的大きな熱負荷であり、例えばファンコンベクタ等の暖房装置によって構成することができる。また、低温負荷端末８１は、熱エネルギーの消費量が高温負荷端末８０よりも小さな熱負荷であり、例えば床暖房装置等によって構成することができる。
【００６６】
続いて、本実施形態の貯留型熱源装置１の動作について、図面を参照しながら詳細に説明する。貯留型熱源装置１は、貯湯運転と、高温暖房運転、低温暖房運転、同時暖房運転、給湯運転および追焚運転を含む複数の運転方法で動作可能な構成とされている。
【００６７】
貯湯運転とは、熱源２を作動させることによって加熱回路５を循環する湯水を加熱し、これを貯留タンク３に貯留する運転方法である。また、高温暖房運転は、暖房回路７を流れる湯水や熱媒体を加熱し、これを配管接続口６５，６７に配管接続された暖房装置等の高温負荷端末８０との間で循環させる運転方法である。低温暖房運転は、暖房回路７を流れる湯水や熱媒体を加熱し、これを配管接続口６６，６７に配管接続された低温負荷端末８１との間で循環させる運転方法である。同時暖房運転は、暖房回路７を流れる湯水や熱媒体を加熱し、これを高温負荷端末８０および低温負荷端末８１との間で循環させる運転方法である。給湯運転は、加熱した湯水を配管接続口１８に配管接続されたカラン２４等に供給する運転方法である。以下、貯留型熱源装置１の動作を、各運転方法毎にさらに詳細に説明する。
【００６８】
（貯湯運転）
貯湯運転を実施する場合は、予め給水配管１７を介して貯留タンク３や加熱回路５を構成する熱源戻り配管１０や熱源往き配管１１に湯水が導入された状態において、三方弁１２のポート１２ｃおよび三方弁１５のポート１５ａが閉じ、ポート１２ａ，１２ｂ間およびポート１５ｂ，１５ｃ間が連通した状態とされる。三方弁１２，１５の開度調整が完了すると、熱源２が作動すると共に、熱源往き配管１１の中途に設けられた加熱用循環ポンプ１３が作動する。これにより、図２にハッチングや矢印で示すように加熱回路５内を湯水が循環しはじめ、この湯水が熱源２において加熱される。さらに具体的には、加熱用循環ポンプ１３が作動すると、貯留タンク３内に貯留されている湯水が下端接続管９ｂを介して取り出される。貯留タンク３から取り出された湯水は、三方弁１２を介して下端接続管９ｂに接続されている熱源往き配管１１に流れ込む。熱源往き配管１１を流れる湯水は、加熱回路５の中途に設けられた熱源２において加熱され、熱源戻り配管１０を流れる。熱源戻り配管１０を流れる高温の湯水は、上端接続管９ａを介して貯留タンク３内に上端３ａ側からゆっくり流入する。
【００６９】
ここで、上記したように、貯留タンク３に対して上端３ａ側から熱源２において加熱された高温の温度帯の湯水をゆっくりと導入すると、この高温の温度帯の湯水の水温と、貯留タンク３の上端３ａ側に残存している湯水の水温との差が所定の温度差（湯水の場合は約１０℃）以上であることを条件として、高温の温度帯の湯水と低温の温度帯の湯水とが殆ど混ざり合うことなく層状に貯留された状態になり、いわゆる温度成層を形成する。そのため、貯湯運転を実施すると、貯留タンク３内の湯水が上端３ａ側から徐々に高温になっていく。さらに具体的には、貯湯運転の実施過程において、貯留タンク３内に低温の湯水が残存している間は、例えば図２に示すように、上端３ａ側に高温の温度帯に加熱された湯水の層（高温層Ｈ）が形成され、その下方にこれよりも低温の温度帯の湯水の層（低温層Ｌ）が形成されることとなる。
【００７０】
ここで、本実施形態の貯留型熱源装置１では、熱源２としてヒートポンプユニットが採用されており、深夜等の電気料金が比較的低廉な時間帯に貯湯運転を実施すると共に、その際の熱源２の加熱能力を抑制したり、熱源２として加熱能力が比較的低いものを採用することによりランニングコストを抑制する構成とされている。そのため、貯湯運転の実施過程において、貯留タンク３には、図３に示すように貯留タンク３の上端３ａ側に高温層Ｈが形成され、この下方にこれよりも低温の湯水によって構成される中間層Ｍが形成され、さらにこの下方にこれよりも低温の温度帯の湯水の層（低温層Ｌ）が形成されることとなる。すなわち、貯留型熱源装置１は、貯湯運転の実施過程において、貯留タンク３の高さ方向の中間部分に、貯留タンク３の上端３ａ側に存在する高温層Ｈを構成する温度帯の湯水と、下端３ｂ側に存在する低温層Ｌを構成する湯水の温度帯の中間の温度帯の湯水が貯留されることがある。貯留運転をある程度継続すると、やがて貯留タンク３内の湯水の全てが高温になり、前記したような温度成層が解消される。
【００７１】
（高温暖房運転）
高温暖房運転は、高温暖房熱交換器４３の一次側に上記した貯留運転によって貯留タンク３内に貯留されている高温の湯水を供給し、この湯水との熱交換により配管接続口６５，６７に配管接続された暖房装置等の高温負荷端末８０と高温暖房熱交換器４３との間で循環する熱媒体を熱交換加熱する運転方法である。
【００７２】
さらに具体的には、高温暖房運転を実施する場合は、三方弁１２のポート１２ｂが閉止され、ポート１２ａ，１２ｃが連通した状態とされると共に、中間取出流路３６の中途に設けられた三方弁５５が閉止される。また、暖房一次流路３５の中間部３５ａに設けられた開閉弁４６が開いた状態とされる。このように各弁１２，４６，５５の開度調整がされると、暖房一次循環ポンプ４１が作動状態とされる。これにより、図４にハッチングや矢印で示すように、貯留タンク３と高温側熱交換器４３との間で湯水の循環流が発生する。
【００７３】
さらに詳細には、各弁１２，４６，５５の開度調整後に暖房一次循環ポンプ４１が作動状態とされると、貯留タンク３の上端３ａ側に存在する高温の湯水が、暖房一次流路３５を介して貯留タンク３の外に取り出される。暖房一次側流路３５を流れる湯水は、高温暖房熱交換器４３において放熱した後、低温側熱交換器４５を通過し、三方弁１２および下端接続管９ｂを介して貯留タンク３の下端３ｂ側に戻る。
【００７４】
一方、高温暖房運転の実施時には、戻り配管６３の中途に設けられた暖房二次循環ポンプ７１が作動状態とされる。これにより、図４にハッチングや矢印で示すように高温暖房熱交換器４３の二次側と高温負荷端末８０との間で熱媒体の循環流が発生する。高温暖房熱交換器４３の二次側に供給された熱媒体は、上記したようにして暖房一次流路３５の上流部３５ｂを介して貯留タンク３の上端３ａ側から高温暖房熱交換器４３の一次側に供給される高温の湯水との熱交換により加熱され、高温負荷端末８０に供給される。この際、三方弁１２や開閉弁４６の開度や、暖房一次循環ポンプ４１により圧送される湯水の流量は、高温暖房熱交換器４３の二次側の出口や往き配管６０等に設けられた温度センサ（図示せず）の検知温度が８０℃近傍となるようにフィードバック制御される。
【００７５】
（低温暖房運転）
低温暖房運転は、低温暖房熱交換器４５の一次側に供給される湯水との熱交換により、配管接続口６６，６７に配管接続された低温負荷端末８１と低温暖房熱交換器４５との間で循環する熱媒体を熱交換加熱する運転方法である。ここで、低温負荷端末８１は、上記したように高温負荷端末よりも熱エネルギーの消費量が少ない負荷端末である。そのため、低温暖房運転を実施する場合は、上記した高温暖房熱交換器４３に供給される湯水よりも低温の湯水を低温暖房熱交換器４５に供給される。
【００７６】
低温暖房運転は、貯留タンク３に貯留されている湯水の温度に応じて、貯留タンク３内に貯留されている湯水を低温暖房熱交換器４５の一次側に供給するモードＬ１と、熱源２において加熱された湯水を貯留タンク３を介さず直接低温暖房熱交換器４５の一次側に供給するモードＬ２のいずれかの動作モードで実施される。以下、低温暖房運転の実施時における貯留型熱源装置１の動作を各モードＬ１，Ｌ２に分けて説明する。
【００７７】
＜モードＬ１＞
モードＬ１は、貯留タンク３内にある程度高温の湯水が貯留されていることを条件として選択される動作モードである。モードＬ１で低温暖房運転が実施される場合は、図５にハッチングや矢印で示すように中間取出流路３６を構成する中域水取出管５０や低域水取出管５１を介して貯留タンク３の高さ方向中間部分に貯留されている湯水が取り出され、低温暖房熱交換器４５の一次側に供給される。
【００７８】
さらに具体的には、モードＬ１で低温暖房運転が実施される場合は、暖房一次流路３５の中途に設けられた開閉弁４６が閉止されると共に三方弁５５のポート５５ａ〜５５ｃが開いた状態とされる。また、三方弁１２は、ポート１２ａ，１２ｃが連通し、ポート１２ｂが閉じた状態とされる。ここで、ポート５５ａ，５５ｂの開度の比率は、低温暖房熱交換器４５の一次側に供給すべき湯水の温度に応じて調整され、ポート５５ａ〜５５ｃの開度が低温暖房熱交換器４５の一次側に供給すべき湯水の量に応じて調整される。
【００７９】
すなわち、本実施形態の貯留型熱源装置１では、温度センサ８ｂ，８ｃがそれぞれ接続口３ｈ，３ｉと同程度の位置に取り付けられており、温度センサ８ｂ，８ｃの検知温度に基づいて中域水取出管５０および低域水取出管５１から流出する湯水の温度を検知することができる。そのため、本実施形態では、低温暖房熱交換器４５の一次側に供給すべき湯水の温度に応じてポート５５ａ，５５ｂの開度の比率が調整されると共に、低温暖房熱交換器４５の一次側に供給すべき湯水の量に応じて５５ａ〜５５ｃの開度が調整される。
【００８０】
上記したようにして三方弁１２，５５および開閉弁４６の開度調整がなされると、低温暖房熱交換器４５に対して湯水の流れ方向下流側に配された暖房一次ポンプ４１と、低温暖房二次流路４０を構成する戻り配管６３に設けられた暖房二次循環ポンプ７１が作動状態とされる。これにより、図５にハッチングや矢印で示すように貯留タンク３の高さ方向中間部に存在する湯水が中間取出流路３６を介して取り出され、低温暖房熱交換器４５に供給される湯水の循環流が発生する。一方、低温暖房二次流路４０側には、低温負荷端末８１と低温暖房熱交換器４５との間で熱媒体の循環流が発生する。
【００８１】
上記したようにして低温暖房熱交換器４５の一次側に供給された湯水は、戻り配管６３を介して低温負荷端末８１から低温暖房熱交換器４５の二次側に戻ってくる熱媒体との熱交換により放熱して低温となり、暖房一次流路３５の下流部３５ｃおよび下端接続管９ｂを介して貯留タンク３の下端３ｂ側に戻される。一方、戻り配管６３を介して供給された熱媒体は、低温暖房熱交換器４５において熱交換加熱された後、往き配管６２を介して低温負荷端末８１に戻される。この際、開閉弁４６は閉止状態とされ、三方弁１２，５５の開度や暖房一次循環ポンプ４１により圧送される湯水の流量は、低温暖房熱交換器４５の二次側の出口や往き配管６２等に設けられた温度センサ（図示せず）の検知温度が６０℃近傍（低温負荷端末８１の種類や使用条件等によっては５０℃近傍あるいは４０℃近傍）となるようにフィードバック制御される。
【００８２】
＜モードＬ２＞
上記したモードＬ２は、貯留タンク３内に存在する湯水が低温暖房運転を実施するには低温である場合に選択される動作モードである。すなわち、モードＬ２は、上記したモードＬ１で低温暖房運転を実施しても低温負荷端末８１に十分な熱エネルギーを供給できないと想定される場合に実施される動作モードである。貯留型熱源装置１がモードＬ２で低温暖房運転を実施する場合は、開閉弁４６および三方弁５５が閉止されると共に、三方弁１２のポート１２ｂ，１２ｃ間が連通し、ポート１２ａが閉じた状態とされる。さらに、熱源戻り配管１０が接続されている三方弁１５のポート１５ａ，１５ｂが連通し、熱源戻り配管１０が接続されたポート１５ｃが閉じた状態とされる。これにより、図６にハッチングで示すように、低温暖房熱交換器４５と熱源２との間で湯水が循環可能な循環流路が形成される。
【００８３】
上記したように各弁１２，１５，４６，５５の開度調整がされると、暖房一次流路３５の下流部３５ｃに設けられた暖房一次ポンプ４１および熱源２と、低温暖房二次流路４０に設けられた暖房二次循環ポンプ７１とが作動状態とされる。この際、貯留型熱源装置１のＣＯＰ（Ｃｏｅｆｆｉｃｉｅｎｔ  ｏｆ  Ｐｅｒｆｏｒｍａｎｃｅ）の向上を考慮し、熱源２における湯水の加熱設定温度は６５℃以下の範囲内に設定される。暖房二次循環ポンプ７１が作動すると、熱源２において加熱された高温の湯水は、図６にハッチングや矢印で示すように低温暖房熱交換器４５の一次側に順次供給されると共に、戻り配管６３を介して低温負荷端末８１から低温暖房熱交換器４５の二次側に熱媒体が流入し、熱交換加熱される。
【００８４】
低温暖房熱交換器４５において熱交換加熱された熱媒体は、往き配管６２を介して低温負荷端末８１に供給される。この際、開閉弁４６は閉止状態とされ、三方弁１２，５５の開度や、暖房一次循環ポンプ４１により圧送される湯水の流量、熱源２の加熱能力等は、低温暖房熱交換器４５の二次側の出口や往き配管６２等に設けられた温度センサ（図示せず）の検知温度が６０℃近傍（低温負荷端末８１の種類や使用条件等によっては５０℃近傍あるいは４０℃近傍）となるようにフィードバック制御される。
【００８５】
（同時暖房運転）
同時暖房運転は、高温負荷端末８０および低温負荷端末８１の双方に高温暖房熱交換器４３および低温暖房熱交換器４５において熱交換加熱された熱媒体を供給する運転方法である。同時暖房運転が実施される場合、貯留型熱源装置１は、貯留タンク３に貯留されている湯水の温度に応じて、後述するモードＤ１，Ｄ２のいずれかの動作モードで動作する構成とされている。以下、貯留型熱源装置１が同時暖房運転を実施する際の動作をモードＤ１，Ｄ２に分けて説明する。
【００８６】
＜モードＤ１＞
モードＤ１は、貯留タンク３内に高温の湯水が十分貯留されていることを条件として選択される動作モードであり、貯留タンク３内に貯留されている湯水を高温暖房熱交換器４３および低温暖房熱交換器４５の双方に供給することにより、高温負荷端末８０および低温負荷端末８１から戻ってくる熱媒体を加熱する動作モードである。貯留型熱源装置１がモードＤ１で同時暖房運転を実施する場合は、暖房一次流路３５の中間部３５ａに設けられた開閉弁４６が開いた状態とされる。そして、この状態で暖房一次循環ポンプ４１および暖房二次循環ポンプ７１が作動状態とされる。
【００８７】
上記したようにして暖房一次循環ポンプ４１が作動状態とされると、図７に示すように、貯留タンク３の上端３ａ側に貯留されている高温の湯水が暖房一次流路３５を介して高温暖房熱交換器４３と低温暖房熱交換器４５の双方にこの順で供給される。一方、暖房二次循環ポンプ７１が作動状態とされると、配管接続口６５，６６，６７に配管接続された高温負荷端末８０や低温負荷端末８１から熱媒体が戻り、戻り配管６１，６３を介して高温暖房熱交換器４３および低温暖房熱交換器４５の二次側に供給され、熱交換加熱される。高温暖房熱交換器４３および低温暖房熱交換器４５において加熱された熱媒体は、往き配管６０，６２を介して高温負荷端末８０や低温負荷端末８１に戻される。
【００８８】
ここで、同時暖房運転がモードＤ１で実施される場合において、高温負荷端末８０で消費される熱エネルギーが大きい場合は、高温暖房熱交換器４３を通過して低温暖房熱交換器４５に流入する湯水の温度が低温であり、低温負荷端末８１に供給される熱媒体を十分加熱できないことがある。このような場合は、上記した低温暖房運転をモードＬ１で実施する場合と同様に三方弁５５が開かれ、貯留タンク３の高さ方向中間部分に貯留されている湯水が中間取出流路３６を介して低温暖房熱交換器４５の一次側に供給される。
【００８９】
すなわち、同時暖房運転が実施される場合は、低温暖房熱交換器４５の一次側に流入する湯水の温度が低温負荷端末８１に供給される熱媒体を加熱するのに必要とされる温度よりも低温であることを条件として、中間取出流路３６を介して貯留タンク３の高さ方向中間部分に存在する湯水が低温暖房熱交換器４５の一次側に補助的に供給される構成となっている。そのため、貯留型熱源装置１は、高温負荷端末８０および低温負荷端末８１の双方が同時に使用される場合であって、高温負荷端末８０で大きなエネルギー消費がある場合であっても、低温側負荷端末８１において必要とされる熱エネルギーを過不足なく供給することができる。
【００９０】
上記したように、同時暖房運転の実施中に三方弁５５を開く場合、三方弁５５の各ポート５５ａ〜５５ｃの開度や開度比は、上記した低温暖房運転をモードＬ１で実施する場合と同様に、中間取出流路３６を介して低温暖房熱交換器４５に供給すべき湯水の量や、温度センサ８ｂ，８ｃの検知温度に基づいて調整される。
【００９１】
＜モードＤ２＞
上記したモードＤ２は、貯留タンク３内に貯留されている高温の湯水の量が低温負荷端末８１に供給される熱媒体を加熱するには少ないことを条件として選択される動作モードである。同時暖房運転がモードＤ２で実施される場合は、図８にハッチングや矢印で示すように、貯留タンク３内の湯水が高温暖房熱交換器４３および低温暖房熱交換器４５に供給されると共に、熱源２において加熱された湯水が低温暖房熱交換器４５に供給される。
【００９２】
さらに詳細に説明すると、モードＤ２で同時暖房運転を実施する場合は、暖房一次流路３５の中間部３５ａに設けられた開閉弁４６が開かれる。また、三方弁１２は、ポート１２ａ〜１２ｃの全てが開いた状態とされる。また、熱源戻り配管１０の中途に設けられた三方弁１５は、ポート１５ａ，１５ｂが開き、ポート１５ｃが閉じた状態とされる。この際、三方弁５５は各ポート５５ａ〜５５ｃが開いた状態とされる。
【００９３】
上記したように各弁４６，１２，１５，５５の開度調整がなされると、熱源２が作動状態とされると共に、暖房一次循環ポンプ４１、加熱用循環ポンプ１３、並びに、暖房二次循環ポンプ７１が作動状態とされる。この際、貯留型熱源装置１のＣＯＰの向上を考慮し、熱源２における湯水の加熱設定温度は６５℃以下の範囲に設定される。
【００９４】
暖房一次循環ポンプ４１が作動すると、図８にハッチングや矢印で示すように、貯留タンク３に貯留されている湯水が貯留タンク３の上端３ａ側の接続口３ｇから取り出されて暖房一次流路３５を流れ、下端３ｂに設けられた接続口３ｄから貯留タンク３内に戻る循環流が発生する。これにより、高温暖房熱交換器４３および低温暖房熱交換器４５の一次側に、貯留タンク３から取り出された湯水を介して熱エネルギーが供給される。また、加熱用循環ポンプ１３が作動すると、熱源２と低温暖房熱交換器４５との間で循環流が発生し、熱源２で加熱された湯水が低温暖房熱交換器４５の一次側に供給される。すなわち、低温暖房熱交換器４５には、高温暖房熱交換器４３において放熱してある程度低温になった湯水に加えて、熱源２において加熱された湯水が供給される。
【００９５】
一方、暖房二次循環ポンプ７１が作動すると、高温暖房熱交換器４３および低温暖房熱交換器４５の二次側と、高温負荷端末８０および低温負荷端末８１との間に熱媒体の循環流が発生し、高温負荷端末８０や低温負荷端末８１に熱エネルギーが供給される。すなわち、暖房二次循環ポンプ７１が作動すると、熱媒体が高温負荷端末８０側や低温負荷端末８１側から戻り配管６１，６３を介して高温暖房熱交換器４３および低温暖房熱交換器４５の二次側に供給される。
【００９６】
高温暖房熱交換器４３の二次側に供給された熱媒体は、暖房一次流路３５を介して高温暖房熱交換器４３に供給された高温の湯水との熱交換により加熱された後、往き配管６０を介して高温負荷端末８０に供給される。また、低温暖房熱交換器４５の二次側に供給された熱媒体は、低温暖房熱交換器４５の一次側に流入する湯水との熱交換によって加熱され、低温負荷端末８１に供給される。この際、三方弁１２，５５や開閉弁４６の開度や、暖房一次循環ポンプ４１により圧送される湯水の流量、熱源２の加熱能力等は、低温暖房熱交換器４５の二次側の出口や往き配管６２等に設けられた温度センサ（図示せず）の検知温度が６０℃近傍（低温負荷端末８１の種類や使用条件等によっては５０℃近傍あるいは４０℃近傍）となるようにフィードバック制御される。
【００９７】
（給湯運転）
給湯運転は、配管接続口１８に配管接続されたカラン２４に加熱された湯水を供給するための運転方法である。貯留型熱源装置１は、貯留タンク３内に貯留されている湯水の温度に応じて、モードＱ１，Ｑ２のいずれかの動作モードで給湯運転を実施する構成とされている。以下、貯留型熱源装置１が給湯運転を実施する際の動作をモードＱ１，Ｑ２に分けて説明する。
【００９８】
＜モードＱ１＞
モードＱ１は、貯留タンク３内に給湯運転を実施するのに適当な温度の湯水が、給湯運転に必要とされる量以上貯留されている場合に実施される給湯運転の実施モードである。モードＱ１により給湯運転が実施される場合は、熱源戻り配管１０の中途に設けられた三方弁１５のポート１５ｂが閉じた状態とされ、貯留タンク３の下端３ｂ側に外部の給水源から給水配管１７および下端接続管９ｂを介して低温の湯水が供給される。
【００９９】
貯留タンク３の下端３ｂ側から湯水が供給されると、図９にハッチングや矢印で示すように上端３ａ側に貯留されている高温の湯水が接続口３ｃに接続された上端接続管９ａを介して貯留タンク３の外側に取り出される。貯留タンク３から取り出された高温の湯水は、給湯配管１６を流れる。この高温の湯水は、給水配管１７から分岐された分岐流路（図示せず）を介して供給された低温の湯水と混合弁（図示せず）で混合され、所定の温度に調整された状態で配管接続口１８に配管接続されたカラン２４に供給される。
【０１００】
＜モードＱ２＞
上記したモードＱ２は、貯留タンク３内に給湯運転を実施するのに適当な温度の湯水が存在しない場合や、給湯運転に適した温度の湯水が存在していても、この湯水の量が給湯運転を実施するには不足する場合に実施される給湯運転の実施モードである。モードＱ２により給湯運転が実施される場合は、三方弁１５のポート１５ｂ，１５ｃが開き、ポート１５ａが閉じた状態とされ、三方弁１２のポート１２ａ，１２ｂが閉じた状態とされる。また、熱源２が作動状態とされる。この際、貯留型熱源装置１のＣＯＰの向上を考慮し、熱源２における湯水の加熱設定温度は６５℃以下の範囲に設定される。
【０１０１】
上記した状態で外部の給水源から給水配管１７を介して低温の湯水が供給されると、図１０に矢印やハッチングで示すようにこの湯水の一部が下端接続管９ｂを介して貯留タンク３に下端３ｂ側から供給される。これにより、貯留タンク３内に貯留されている湯水が上端接続管９ａを介して上端３ａから取り出される。一方、給水配管１７を介して供給された湯水の残部は、熱源往き配管１１に流入する。熱源往き配管１１に流入した湯水は、熱源２において加熱された後、熱源戻り配管１０を流れる。
【０１０２】
熱源戻り配管１０を流れる高温の湯水は、上端接続管９ａとの合流部分において貯留タンク３から取り出された湯水と合流し、混合される。その後、この湯水は、給湯配管１６を介して配管接続口１８に配管接続されたカラン２４に供給される。
【０１０３】
（追焚運転）
追焚運転は、配管接続口２８，２９に配管接続された浴槽３０内の湯水を追焚熱交換器２１と浴槽３０との間で循環させて加熱する運転方法である。さらに詳細に説明すると、追焚運転を実施する場合は、追焚一次循環ポンプ２３および追焚二次循環ポンプ２７が作動状態とされる。
【０１０４】
追焚一次循環ポンプ２３が作動すると、図１１に矢印やハッチングで示すように、貯留タンク３の上端３ａ側に貯留されている湯水が接続口３ｅから追焚一次流路２０に取り出され、追焚熱交換器２１の一次側を通過して接続口３ｆから下端３ｂ側に戻る循環流を形成する。一方、追焚二次循環ポンプ２７が作動すると、浴槽３０内の湯水が風呂戻り流路２６を通って追焚熱交換器２１の二次側に供給され、熱交換加熱される。追焚熱交換器２１において加熱された湯水は、追焚往き流路２５および接続口２８に接続された配管を介して浴槽３０に供給される。
【０１０５】
上記したように、本実施形態の貯留型熱源装置１は、貯留タンク３の高さ方向中間部分に貯留されている湯水を中間取出流路３６から取り出し、低温暖房熱交換器４５に供給することができる。また、上記した貯留運転の説明や図３に示すように、貯留タンク３内には温度成層が形成され、貯留タンク３の高さ方向中間部分にある湯水の層（中間層Ｍ）の温度帯は、上端３ａ側に層状に存在する湯水（高温層Ｈ）の温度帯と、下端３ｂ側に層状に存在する湯水（低温槽Ｌ）の温度帯との中間程度であることが多い。そのため、低温暖房運転や同時暖房運転を実施すべく低温負荷端末８１に供給される熱媒体を加熱する場合であっても、上記したモードＬ１やモードＤ１で示したように中間取出流路３６を介して貯留タンク３内の高さ方向中間部分に貯留されている中間層Ｍを構成する湯水を低温暖房熱交換器４５に供給すれば、低温暖房熱交換器４５を通過して貯留タンク３に戻る湯水の温度が十分低温になる。従って、本実施形態の貯留型熱源装置１は、上記したモードＬ１やモードＤ１で低温暖房運転や同時暖房運転を実施し、貯留タンク３の高さ方向中間部分に存在する中間程度の温度帯の湯水を利用することにより、低温暖房熱交換器４５を通過して貯留タンク３に戻る湯水によって貯留タンク３内に形成されている温度成層が掻き乱されたり、貯留タンク３内に存在している利用価値の高い高温の湯水が利用価値の低い中途半端な温度になるのを防止できる。
【０１０６】
通常、上記した中間層Ｍを構成する湯水は、高温負荷端末８０に供給する熱媒体を熱交換加熱するには低温であり、利用価値が低い。そのため、貯留型熱源装置１において熱エネルギーを有効利用するためには、貯留タンク３内に既に存在している中間層Ｍを構成する湯水を有効利用すると共に、中間層Ｍに相当する温度帯の湯水の発生量を抑制することが望ましい。かかる知見に基づき、本実施形態の貯留型熱源装置１では、従来技術のように低温負荷端末８１に対して供給される熱媒体の加熱のために低温暖房熱交換器４５に高温層Ｈを構成する湯水を供給するのではなく、中間層Ｍに相当する湯水を低温暖房熱交換器４５に供給する構成としている。そのため、貯留型熱源装置１では、貯留タンク３に存在する中間層Ｍに相当する湯水を有効利用できると共に、低温暖房熱交換器４５で放熱して貯留タンク３に戻る湯水が低温であり、中間層Ｍに相当する温度帯の湯水が発生しにくい。従って、貯留型熱源装置１によれば、熱エネルギーを有効利用することができる。
【０１０７】
貯留型熱源装置１は、加熱水供給流路３７を有し、熱源２において加熱された湯水を貯留タンク３を迂回させて低温暖房熱交換器４５に直接供給可能な構成とされている。そして、貯留型熱源装置１では、低温暖房運転や同時暖房運転のように低温負荷端末８１における熱媒体の加熱を伴う運転を実施する際に、貯留タンク３内に貯留されている熱エネルギーが所定量未満であることを条件として、低温暖房運転や同時暖房運転をモードＬ２，Ｄ２で実施し、熱源２において加熱された湯水を低温暖房熱交換器４５に直接供給するように構成している。そのため、貯留型熱源装置１は、貯留タンク３に十分な熱エネルギーが貯留されていない場合であっても、低温負荷端末８１に供給される熱媒体を十分加熱することができる。
【０１０８】
また、貯留型熱源装置１は、低温暖房運転や同時暖房運転、給湯運転をモードＬ２，Ｄ２，Ｑ２で実施する場合に限って、熱源２において加熱された湯水を貯留タンク３に貯留することなく直接、低温暖房熱交換器４５やカラン等に向けて供給する構成とされている。そのため、本実施形態の貯留型熱源装置１は、熱源２を暖房運転や給湯運転のために作動させざるを得ない場合であっても、ＣＯＰを高レベルに維持することができる。
【０１０９】
貯留型熱源装置１は、低温暖房運転や同時暖房運転をモードＬ２，Ｄ２で実施する際に熱源２において加熱された湯水が低温暖房熱交換器４５での熱交換加熱に使用される。そのため、低温負荷端末８１に供給される熱媒体の加熱のために貯留タンク３から取り出される湯水の量を最小限に抑制できる。また特に、低温暖房運転をモードＬ２で実施する場合は、貯留タンク３内の高温の湯水が全く使用されない。従って、本実施形態の貯留型熱源装置１によれば、貯留タンク３内に貯留されている高温の湯水の使用量を最小限に抑制して給湯運転を実施したり、高温暖房運転や追焚運転のように大きな熱エネルギー量が必要とされる状況に備えて貯留タンク３内に高温の湯水を確保しておくことが可能である。従って、貯留型熱源装置１によれば、貯留タンク３内に貯留されている熱エネルギーを効率よく利用することができる。
【０１１０】
上記したように、本実施形態の貯留型熱源装置１は、中間取出流路３６を構成する中域水取出管５０と低域水取出管５１とを貯留タンク３の高さ方向に異なる位置に設けた構成とされている。そのため、温度センサ８ｂ，８ｃによって中域水取出管５０および低域水取出管５１から流出する湯水の温度を検知し、これに基づいて三方弁５５で中域水取出管５０および低域水取出管５１から取り出される湯水の量の比率を調整することにより低温暖房熱交換器４５の一次側に流入する湯水の温度を熱媒体の加熱に適した温度に調整することができる。
【０１１１】
上記実施形態では、中間取出流路３６を、貯留タンク３に対して高さ方向に異なる位置に接続された中域水取出管５０と低域水取出管５１とを備えた構成としたが、本発明はこれに限定されるものではなく、中域水取出管５０あるいは低域水取出管５１のいずれか一方だけを設けた構成としてもよい。また、中域水取出管５０や低域水取出管５１に加えて、これらとは貯留タンク３に対して高さ方向に異なる位置に接続された配管を設け、この配管から取り出された湯水も低温暖房熱交換器４５の一次側に供給可能な構成としてもよい。
【０１１２】
上記実施形態では、配管接続口６５〜６７を介して往き配管６０，６２や戻り配管６１，６３に配管接続することにより、高温暖房熱交換器４３において加熱された熱媒体を熱エネルギーの消費量が大きい高温負荷端末８０に供給可能であり、低温暖房熱交換器４５において加熱された熱媒体を高温負荷端末８０よりも熱エネルギーの消費量が小さな低温負荷端末８１に供給可能な構成を例示したが、本発明はこれに限定されるものではない。さらに具体的には、貯留型熱源装置１は、例えば熱エネルギーの消費量を変動可能な負荷端末と往き配管６０，６２、戻り配管６１，６３を配管接続し、熱エネルギーの消費量の変動にあわせて往き配管６０を介して負荷端末に供給される熱媒体の量と、往き配管６２を介して負荷端末に供給される熱媒体の量を調整可能な構成とすることも可能である。かかる構成とした場合についても、上記実施形態に示したのと同様に、貯留タンク３の高さ方向中間部分に貯留されている中間層Ｍを構成する湯水やこれが持つ熱エネルギーを有効利用しつつ、温度成層を掻き乱しかねないような中途半端な温度の湯水の発生量を最小限に抑制することができる。
【０１１３】
上記したように、貯留型熱源装置１は、熱エネルギーの消費量が多いと想定される高温暖房運転の実施時に三方弁５５を閉止し、中間取出流路３６を介して貯留タンク３に湯水が出入りできない状態とする。そのため、高温暖房運転の実施時には、貯留タンク３の上端３ａ側から取り出され、高温暖房熱交換器４３において放熱した低温の湯水は必ず貯留タンク３の下端３ｂ側に戻ることとなる。そのため、貯留型熱源装置１は、高温暖房運転を実施しても貯留タンク３に戻る湯水によって貯留タンク３内に形成されている温度成層が掻き乱されたり、貯留タンク３内に存在している高温の液体が温度低下することによるエネルギーロスが起こりにくい。
【０１１４】
また、貯留型熱源装置１は、低温暖房運転をモードＬ１で実施することにより、熱エネルギーの消費量が少ない低温負荷端末８１が単独で作動する場合であっても、貯留タンク３に戻る湯水の温度を低温とすることができる。そのため、貯留型熱源装置１は、低温負荷端末８１が単独で作動する場合であっても貯留タンク３内の温度成層が崩れたり、貯留タンク３の上端３ａ側に存在する高温で利用価値の高い湯水が低温になるのを防止できる。
【０１１５】
貯留型熱源装置１は、貯留タンク３内に貯留されている熱エネルギーが所定量未満である場合に低温暖房運転の動作モードとしてモードＬ２を選択し、熱源２において加熱された湯水を直接、低温暖房熱交換器４５に供給して低温負荷端末８１の作動に必要な熱媒体を加熱する構成とされている。そのため、貯留型熱源装置１は、貯留タンク３内に十分な熱エネルギーがない場合であっても、低温負荷端末８１の作動に必要な熱媒体を十分加熱することができる。
【０１１６】
貯留型熱源装置１は、同時暖房運転をモードＤ１で実施する際に、高温暖房熱交換器４３において放熱して低温になった湯水だけでなく、中間取出流路３６を介して貯留タンク３から取り出された湯水が低温暖房熱交換器４５に供給されることとなる。そのため、貯留型熱源装置１は、高温負荷端末８０および低温負荷端末８１の双方が作動する場合であっても両者で必要とされる熱媒体を十分加熱することができる。
【０１１７】
また、貯留型熱源装置１は、同時暖房運転をモードＤ２で実施することにより、熱源２で加熱された湯水を低温暖房熱交換器４５の一次側に直接供給することができる構成とされている。そのため、貯留型熱源装置１は、中間取出流路３６を介して取り出し可能な湯水が低温であり、貯留タンク３内の湯水を使うだけでは低温暖房熱交換器４５に十分な熱エネルギーを供給できないような場合であっても、同時暖房運転をモードＤ２で実施することにより、低温暖房熱交換器４５において必要な熱エネルギーを十分供給できる。
【０１１８】
上記実施形態では、貯留タンク３内に低温負荷端末８１の作動に必要な熱媒体を加熱するのに十分な湯水が存在しないことを条件として低温暖房運転をモードＬ２で実施したり、同時暖房運転をモードＤ２で実施する構成を例示したが、本発明はこれに限定されるものではない。さらに具体的には、例えば貯留タンク３の上端３ａ側に貯留されている高温の湯水を用いれば低温負荷端末８１の作動に必要な熱媒体を加熱できる場合であっても、中間取出流路３６を介して取り出し可能な湯水が持つ熱エネルギー（湯水の温度）が所定量未満であることを条件としてモードＬ２で低温暖房運転を実施したり、モードＤ２で同時暖房運転を実施する構成としてもよい。かかる構成とすれば、低温負荷端末８１の作動に必要とされる熱媒体の加熱に際して高温で利用価値の高い湯水が使用されるのを抑制したり、後に実施される給湯運転等に備えて高温の湯水を確保しておくことが可能であり、貯留型熱源装置１の熱エネルギー効率をより一層向上させることができる。
【０１１９】
上記した貯留型熱源装置１は、加熱回路５の中途に熱源２として機能するヒートポンプユニットを接続した構成を例示したが、本発明はこれに限定されるものではなく、例えば燃料電池システムやガスエンジンのように熱エネルギーが発生する装置を熱源２として採用することができる。また、貯留型熱源装置１は、熱源２を備えた構成であっても、熱源２とは別体とされ、熱源２に対して接続することにより、熱源２で発生した熱エネルギーを加熱回路５を流れる液体（湯水）に回収可能な構成のものであってもよい。すなわち、貯留型熱源装置１は、熱源２を含む構成としても、熱源２を持たない構成としてもよい。
【０１２０】
また、上記実施形態では、熱源２で発生した熱エネルギーを湯水を介して回収する構成を例示したが、本発明はこれに限定されるものではなく、例えば不凍液等のような液体を介して熱エネルギーを回収する構成としてもよい。
【図面の簡単な説明】
【０１２１】
【図１】本発明の一実施形態にかかる貯留型熱源装置の作動原理図である。
【図２】図１に示す貯留型熱源装置が貯湯運転を実施する際の動作を示す作動原理図である。
【図３】図１に示す貯留型熱源装置が貯湯運転を実施する際の動作を示す作動原理図である。
【図４】図１に示す貯留型熱源装置が高温暖房運転を実施する際の動作を示す作動原理図である。
【図５】図１に示す貯留型熱源装置が低温暖房運転モードＬ１で実施する際の動作を示す作動原理図である。
【図６】図１に示す貯留型熱源装置が低温暖房運転モードＬ２で実施する際の動作を示す作動原理図である。
【図７】図１に示す貯留型熱源装置が同時暖房運転モードＤ１で実施する際の動作を示す作動原理図である。
【図８】図１に示す貯留型熱源装置が同時暖房運転モードＤ２で実施する際の動作を示す作動原理図である。
【図９】図１に示す貯留型熱源装置が給湯運転をモードＱ１で実施する際の動作を示す作動原理図である。
【図１０】図１に示す貯留型熱源装置が給湯運転をモードＱ２で実施する際の動作を示す作動原理図である。
【図１１】図１に示す貯留型熱源装置が追焚運転を実施する際の動作を示す作動原理図である。
【符号の説明】
【０１２２】
１    貯留型熱源装置
２    熱源
３    貯留タンク
３ａ    上端
３ｂ    下端
５    加熱回路
７    暖房回路
１２，１５，５５    三方弁
３５    暖房一次流路（循環流路）
３６    中間取出流路
３７    加熱水供給流路（加熱液供給流路）
４３    高温暖房熱交換器
４５    低温暖房熱交換器
５０    中域水取出管（取出配管）
５１    低域水取出管（取出配管）
５２    混合水供給管
８０    高温負荷端末（熱負荷）
８１    低温負荷端末（熱負荷）
Ｓ    加熱系
【図１】
0004784824.tif 000002
【図２】
0004784824.tif 000003
【図３】
0004784824.tif 000004
【図４】
0004784824.tif 000005
【図５】
0004784824.tif 000006
【図６】
0004784824.tif 000007
【図７】
0004784824.tif 000008
【図８】
0004784824.tif 000009
【図９】
0004784824.tif 000010
【図１０】
0004784824.tif 000011
【図１１】
0004784824.tif 000012